(57)【要約】【課題】給水具を構成する差込給水管、水道給水管およびリリーフ弁をハウジング内においてまとめて設置することができ、設置スペースを小さくするのに有利な局部洗浄装置を提供する。【解決手段】局部洗浄装置は、温水タンク２と、温水タンク２の入水口２１ｉに取り付けられた給水具５と洗浄ノズルとハウジング２０１とをもつ。給水具５は、第１の方向に突出し且つ温水タンク２の入水口２１ｉに嵌着された差込給水管５１と、第２の方向に突出するように差込給水管５１に連結され水道系の配管に繋がる水道給水管５２と、差込給水管５１および水道給水管５２に連結されるように第３の方向に突出し且つ温水室２５の圧力が所定値よりも上昇するとき温水室２５の水をリリーフ水としてハウジング２０１のベースプレート２０２の排水口２１０に向けて吐出させる吐出口５３をもつ吐出ノズル５６を有するリリーフ弁５４とを備えている。【選択図】図３
2010106591.tif 000002
【特許請求の範囲】
【請求項１】
局部洗浄用の温水を貯める温水室と前記温水室に連通し前記温水室に入水させる入水口とを形成する壁部をもつ温水タンクと、
前記温水タンクの前記入水口に取り付けられ前記温水室に前記入水口を介して水を供給するための給水具と、
前記温水タンクの温水を生体の局部に向けて吹き付ける洗浄ノズルと、
前記温水タンクおよび前記洗浄ノズルを搭載すると共に便器の上面開口に連通する排水口を形成するベースプレートを有するハウジングとを備え、
前記給水具は、
第１の方向に突出し且つ前記温水タンクの前記入水口に差し込まれて嵌着された差込給水管と、第２の方向に突出するように前記差込給水管に連結され水道系の配管に繋がる水道給水管と、前記差込給水管および前記水道給水管に連結されるように第３の方向に突出し且つ前記温水室の圧力が所定値よりも上昇するとき前記温水室の水をリリーフ水として前記ハウジングの前記ベースプレートの前記排水口に吐出させる前記吐出口をもつ吐出ノズルを有するリリーフ弁とを備えていることを特徴とする局部洗浄装置。
【請求項２】
請求項１において、前記給水具を構成する前記差込給水管の通路、前記水道給水管の通路、前記前記リリーフ弁の前記リリーフ口は、前記給水具において互いに連通していることを特徴とする局部洗浄装置。
【請求項３】
請求項１または２において、前記給水具は、前記温水タンクまたは前記ハウジングの前記ベースプレートに形成されている被係合部にスナップ係合するスナップ係合部を有することを特徴とする局部洗浄装置。
【請求項４】
請求項１〜３のうちの一項において、前記給水具は、前記吐出ノズルの吐出口を閉鎖してリークテストを行うリークテスト治具を前記給水具に着脱可能に取り付けるための治具係合部を有することを特徴とする局部洗浄装置。
【請求項５】
請求項４において、前記ハウジングの前記ベースプレートに形成されている前記排水口は、散水を抑える屋根形状をなす散水抑制屋根壁で包囲されており、
前記給水具の前記吐出ノズルの先端部と前記散水抑制屋根壁との間には、前記吐出ノズルの前記吐出口を閉鎖する前記リークテスト治具が着脱可能に配置される配置空間が形成されていることを特徴とする局部洗浄装置。
【請求項６】
請求項１〜５のうちの一項において、前記給水具の前記リリーフ弁の前記吐出ノズルは、これの中心線が前記吐出ノズルの先端に向かうにつれて下降傾斜しつつ、前記ハウジングの前記ベースプレートの前記排水口に対面するように指向していることを特徴とする局部洗浄装置。
【請求項７】
請求項５または６において、前記ベースプレートに形成されている前記散水抑制屋根壁は、前記リリーフ弁の前記吐出ノズルの中心線と直交する方向の断面で、中央が高く両端に向かうにつれて下降傾斜する山形状をなす下降傾斜壁をもつ逆Ｖ形状をなす部分を有することを特徴とする局部洗浄装置。
【請求項８】
請求項７において、前記ベースプレートに形成されている前記排水口は、前記リリーフ弁の前記吐出ノズルの前記吐出口からリリーフ水が吐出される先方に向けて、前記排水口の開口幅が小さくなるＶ形状をなす部分を少なくとも有しており、
前記散水抑制屋根壁は、リリーフ水が吐出される方向において前記逆Ｖ形状を連続させており、且つ、前記散水抑制屋根壁の内面は、前記リリーフ弁の前記吐出ノズルの中心線に沿った断面において前記排水口に向けて円弧で連続的に延設されていることを特徴とする局部洗浄装置。
【請求項９】
請求項１〜８のうちの一項において、前記給水具を構成する前記水道給水管および前記リリーフ弁は、Ｖ形状に分岐する分岐部分を形成しており、前記給水具の前記差込給水管が前記温水タンクの前記入水口に差し込まれて嵌着されているとき、前記分岐部分は前記ハウジングの前記ベースプレートの突部に対面係合し、前記入水口からの前記給水具の前記差込給水管の脱落を抑制していることを特徴とする局部洗浄装置。
【発明の詳細な説明】
【技術分野】
【０００１】
本発明は局部洗浄用の温水を貯める温水タンクを有する局部洗浄装置に関する。
【背景技術】
【０００２】
従来、局部洗浄用の温水を貯める温水室と温水室に連通し温水室に入水させる入水口とを形成する壁部をもつ温水タンクと、温水タンクの入水口に取り付けられ温水室に入水口を介して水を供給するための給水具と、温水タンクの温水を生体の局部に向けて吹き付ける洗浄ノズルと、温水タンクおよび洗浄ノズルを搭載するハウジングとを備える局部洗浄装置が提供されている。
【０００３】
この種の局部洗浄装置において、特許文献１として、温水タンクの内圧が設定値よりも過剰になると、温水室から副通路を介してリリーフ水を便器の上面開口側に吐出させるリリーフ弁が設けられているものが知られている。これにより温水タンク内の洗浄用温水の圧力が高くなりすぎないようにしている。ここで、リリーフ弁は、温水タンクに水を供給するために温水タンクに取り付けられている給水具と別体とされており、ハウジング内においてそれぞれ異なる場所に設置されている。
【０００４】
また、特許文献２として、温水タンクの内圧が設定値よりも過剰になると、温水室からリリーフ水を便器の上面開口側に吐出させるリリーフ弁が設けられているものが知られている（特許文献２）。このものによれば、リリーフ弁から延設された排水路は大気に開放されている。
【特許文献１】特開平１０−１５９１５６号公報
【特許文献２】特開２００１−９８６１８号公報
【発明の開示】
【発明が解決しようとする課題】
【０００５】
上記した温水タンクによれば、リリーフ弁は、温水タンクに水を供給するために温水タンクに取り付けられている給水具と別体とされている。従って、リリーフ弁および給水具はハウジング内においてそれぞれ異なる場所に設置されており、設置スペースを必要とする。
【０００６】
本発明は上記した実情に鑑みてなされたものであり、給水具を構成する差込給水管、水道給水管およびリリーフ弁を局部洗浄装置のハウジング内においてまとめて設置することができ、差込給水管、水道給水管およびリリーフ弁の設置に必要とされる設置スペースを小さくすることができる局部洗浄装置を提供することを課題とするにある。
【課題を解決するための手段】
【０００７】
本発明に係る局部洗浄装置は、局部洗浄用の温水を貯める温水室と温水室に連通し温水室に入水させる入水口とを形成する壁部をもつ温水タンクと、温水タンクの入水口に取り付けられ温水室に入水口を介して水を供給するための給水具と、
温水タンクの温水を生体の局部に向けて吹き付ける洗浄ノズルと、温水タンクおよび洗浄ノズルを搭載すると共に便器の上面開口に連通する排水口を形成するベースプレートを有するハウジングとを備え、給水具は、第１の方向に突出し且つ温水タンクの入水口に差し込まれて嵌着された差込給水管と、第２の方向に突出するように差込給水管に連結され水道系の配管に繋がる水道給水管と、差込給水管および水道給水管に連結されるように第３の方向に突出し且つ温水室の圧力が所定値よりも上昇するとき温水室の水をリリーフ水としてハウジングのベースプレートの排水口に吐出させる吐出口をもつ吐出ノズルを有するリリーフ弁とを備えていることを特徴とする。
【０００８】
給水具は、第１の方向に突出する差込給水管と、第２の方向に突出する水道給水管と、第３の方向に突出する吐出ノズルを有するリリーフ弁とを有する。温水タンクの入水口に給水具の差込給水管が嵌着されて装備されると、水道管等の水道系に繋がるための水道給水管およびリリーフ弁は、局部洗浄装置のハウジングに自動的に搭載される。従って水道給水管およびリリーフ弁を温水タンクの壁部に逐一装備させずとも良く、組付性が確保される。
【０００９】
本発明によれば、次の形態を採用できる。好ましくは、給水具を構成する差込給水管の通路、水道給水管の通路、リリーフ弁のリリーフ口は、給水具において互いに連通している（請求項２）。この場合、万一、事情により水道水が過剰に高圧となっても、その高圧はリリーフ弁から排出されるため、水道水の過剰の高圧が温水タンクの温水室に過剰に影響を与えることが低減される。また万一、温水タンクの温水室が過剰に高圧となっても、その高圧はリリーフ弁から排出されるため、温水室の高圧が水道系に過剰に影響を与えることが低減される。
これは、差込給水管の通路、水道給水管の通路、リリーフ弁のリリーフ口の三者が、給水具において互いに連通している構造に由来する。好ましくは、給水具は、温水タンクまたはハウジングのベースプレートに形成されている被係合部にスナップ係合する係合部を有する（請求項３）。この場合、給水具のスナップ係合部が温水タンクの被係合部にスナップ係合する場合には、給水具をハウジングのベースプレートに螺子レス方式で取り付けることができ、組付作業性が良い。また給水具のスナップ係合部が局部洗浄装置のハウジングのベースプレートの被係合部にスナップ係合する場合には、給水具をハウジングのベースプレートに螺子レス方式で取り付けることができ、組付作業性が良い。
【００１０】
また、好ましくは、給水具は、吐出ノズルの吐出口を閉鎖してリークテストを行うリークテスト治具を給水具に着脱可能に取り付けるための治具係合部を有する（請求項４）。組付時の点検時、組付後の点検時、出荷前の点検、出荷後の点検等において、リークテスト治具を給水具の治具係合部に着脱可能に取り付けることができる。リークテスト治具は、吐出ノズルの吐出口を気密的または液密的に閉鎖し、吐出ノズルの吐出口から圧力が逃げることが抑制される。この場合、給水具単独に対するリークテスト（漏れテスト）、または、給水具を取り付けた温水タンクに対するリークテスト（漏れテスト）を実施することができる。
【００１１】
好ましくは、ハウジングのベースプレートに形成されている排水口は、散水を抑える屋根形状をなす散水抑制屋根壁で包囲されている。好ましくは、給水具の吐出ノズルの先端部と散水抑制屋根壁との間には、吐出ノズルの吐出口を閉鎖するリークテスト治具が着脱可能に配置される配置空間が形成されている（請求項５）。ハウジングのベースプレートに形成されている排水口は、散水を抑える屋根形状をなす散水抑制屋根壁で包囲されている。このため、温水タンクの使用時において、温水タンクの内圧が過剰に高くなって、リリーフ弁の吐出ノズルが開弁して、吐出ノズルの吐出口からリリーフ水が排出されるとき、リリーフ水が排水口周辺に散水することが散水抑制屋根壁により抑制される。この場合、ベースプレートに形成されている排水口付近にリリーフ水が散水することが抑制される。従ってハウジング内の電子部品の保護性を高めることができる。好ましくは、給水具のリリーフ弁の吐出ノズルは、これの中心線が吐出ノズルの先端に向かうにつれて下降傾斜しつつ、ハウジングのベースプレートの排水口に対面するように指向している（請求項６）。この場合、リリーフ弁の吐出ノズルがこれの先端に向かうにつれて下降傾斜しているため、リリーフ弁の吐出ノズルの吐出口からの水切れ性が良好であり、吐出ノズルの吐出口からリリーフ水がベースプレートの排水口に良好に排出される。
【００１２】
好ましくは、ベースプレートに形成されている散水抑制屋根壁は、リリーフ弁の吐出ノズルの中心線と直交する方向の断面で、中央が高く両端に向かうにつれて下降傾斜する山形状をなす下降傾斜壁をもつ逆Ｖ形状をなす部分を有する（請求項７）。この場合、リリーフ弁の吐出ノズルの吐出口から吐出されるリリーフ水がベースプレートの排水口に排出されるとき、リリーフ水の散水が抑制される。
【００１３】
好ましくは、ベースプレートに形成されている排水口は、リリーフ弁の吐出ノズルの吐出口からリリーフ水が吐出される先方に向けて、排水口の開口幅が小さくなるＶ形状をなす部分を少なくとも有する。更に好ましくは、散水抑制屋根壁は、リリーフ水が吐出される方向において逆Ｖ形状（上下逆にした形状）を連続させており、且つ、散水抑制屋根壁の内面は、リリーフ弁の吐出ノズルの中心線に沿った断面において排水口に向けて円弧で連続的に延設されている（請求項８）。この場合、リリーフ弁の吐出ノズルの吐出口から吐出されるリリーフ水がベースプレートの排水口に排出されるとき、リリーフ水が散水抑制屋根壁の内面に当たったとしても、リリーフ水の散水（水跳ね等）が抑制され、排水口に排出されるリリーフ水の水切れ性が向上する。また好ましくは、給水具を構成する水道給水管およびリリーフ弁は、Ｖ形状に分岐する分岐部分を形成している。この場合、給水具の差込給水管が温水タンクの入水口に差し込まれて嵌着されているとき、分岐部分はハウジングのベースプレートの突部に対面係合し、入水口からの給水具の差込給水管の脱落を抑制していることが好ましい（請求項９）。この場合、温水室の内圧が過剰となったときであっても、給水具の分岐部分はハウジングのベースプレートの突部に対面係合しているため、温水タンクの入水口から給水具の水道給水管が脱落することを抑制することができる。
【発明の効果】
【００１４】
以上説明したように本発明によれば、給水具を構成する差込給水管、水道給水管およびリリーフ弁は、ハウジング内においてまとめて設置されており、局部洗浄装置のハウジング内において設置スペースを小さくすることができ、組付性の改善、部品点数の削減に有利である。
【発明を実施するための最良の形態】
【００１５】
本発明の実施形態について図面を参照して説明する。
【００１６】
（実施形態１）
本発明の実施形態１について図１〜図８を参照して説明する。図１は、局部洗浄装置のハウジング内に搭載される局部洗浄用の温水を貯める温水タンク装置１の平面図を示す。図２は、温水タンク装置１の側面図を示す。図２に示すように、温水タンク装置１を構成する樹脂製の温水タンク２は、下フランジ２２をもつ第１分割タンクとしての下タンク２１と、上フランジ２４とをもつ第２分割タンクとしての上タンク２３と備えており、下フランジ２２および上フランジ２４を対面させつつ、下タンク２１および上タンク２３を一体に組み付けて形成されている。下タンク２１は、局部洗浄装置のハウジングに据え付けられる複数の据付フランジ２ｙを有する。図３は、温水タンク２の下タンク２１の概念構造の概念を模式的に示す。温水タンク２の下タンク２１は、局部洗浄用の温水を貯める温水室２５の下部分を形成すると共に、温水室２５の底面を形成する底壁部２６と、底壁部２６の一部に形成された下方に凹む凹部２７とをもつ。
【００１７】
図３に示すように、温水タンク２の下タンク２１は上面が開口する容器形状をなしている。下タンク２１の長手方向（矢印Ｌ方向）の一端側には、第１側壁部２１ａが形成されている。下タンク２１の長手方向の他端側には、第２側壁部２１ｂが第１側壁部２１ａに対向するように形成されている。下タンク２１には、これの長手方向（矢印Ｌ方向）に沿って延設された第１延設壁部２１ｃおよび第２延設壁部２１ｄが互いに対向するように形成されている。ヒータ３は、温水室２５において水平方向に沿って配置されており、温水室２５の水に対面する長尺状をなす加熱部３０をもつ。加熱部３０は、長手方向（矢印Ｌ方向）に沿った第１延設壁部２１ｃに沿って直線状に延びる断面丸形の丸棒状とされているが、場合によっては、断面角形の角棒状でも良い。ヒータ３は温水タンク２を構成する壁部に非接触となるように当該壁部に接近しつつ配置されている。なお、ヒータ３が温水タンク２に接触すると、温水タンク２が熱損傷するおそれがあるため、避けることが好ましい。
【００１８】
図３に示すように、温水タンク２の第１側壁部２１ａは、ヒータ３の加熱部３０を矢印Ａ１方向から温水室２５に差し込むための断面円形状のヒータ差込口２１ｈと、温度センサ４を矢印Ａ２方向から温水室２５に差し込むためのセンサ差込口２１ｓと、給水具５を矢印Ａ３方向から差し込むための断面円形状の入水口２１ｉとをもつ。第１側壁部２１ａに対向する第２側壁部２１ｂは、温水室２５に膨出する膨出部２１ｋを有する。膨出部２１ｋは、ヒータ差込口２１ｈに対面する位置に断面円形状のヒータ受口２１ｒをもつ。
【００１９】
温水タンク装置１の組付時には、ヒータ３の加熱部３０を第１側壁部２１ａの側からヒータ差込口２１ｈに矢印Ａ１方向から温水室２５に向けて差し込むと共に、ヒータ３の先端部３ｆをヒータ受口２１ｒに挿入させる。これによりヒータ３の加熱部３０は、温水タンク２の底壁部２６に非接触で接近しつつ、温水室２５においてほぼ水平状態に架設される。なお、加熱部３０は温水タンク２の長手方向（矢印Ｌ方向）に沿って架設されているため、加熱部３０の放熱長さおよび放熱面積が確保され、温水室２５の水を効率よく加熱できる。なお、ヒータ差込口２１ｈおよびヒータ受口２１ｒはシールされており、温水タンク２のヒータ差込口２１ｈおよびヒータ受口２１ｒから水が漏れることは抑えられている。
【００２０】
ここで、図３から理解できるように、ヒータ３、温度センサ４および給水具５は、温水タンク２に対して共通する方向（矢印ＬＷ方向）から、すなわち第１側壁部２１ａの側から、温水タンク２の第１側壁部２１ａに取り付けられる。すなわち、温水タンク２において、入水通路６６の入口となる入水口２２ｉは、ヒータ差込口２１ｈおよびセンサ差込口２１ｓが形成されている側と同じ側に形成されている。この結果、ヒータ３に繋がれる電気配線３ｘ、温度センサ４に繋がれる電気配線４ｘ、入水口２１ｉに繋がれる給水具５や給水配管５ｘを、共通する方向（矢印ＬＷ方向）から組付作業することができ、組付作業性を向上できる。更に、局部洗浄装置において、局部洗浄装置の本体部は矢印ＬＷ方向の始端側に配置されている。このため、本体部からヒータ３への電気配線３ｘ、本体部から温度センサ４への電気配線４ｘ、および、本体部からの給水配管５ｘを組付にあたり、それらの組付作業が簡素化されるほかに、各電気配線３ｘ，４ｘの配線距離および給水配管５ｘの配管距離をできるだけ短縮させるのに有利となり、ひいては局部洗浄装置の小型化に貢献できる。
【００２１】
更に説明を加える。温度センサ４は、銅、アルミニウム、銅合金、アルミニウム合金等といった熱伝導性が良好な金属で形成された筒体４０と、筒体４０の先端部の内部に保持されたセンサ部４１とを有する。温度センサ４の筒体４０は、これの軸直角方向に沿った鍔状をなすセンサフランジ４２をもつ。センサフランジ４２も、前記した熱伝導性が良好な金属で形成されている。センサフランジ４２には、シール材料で形成されたリング状のシール部４３が装着されている。シール部４３は筒体４０の回りを１周している。温度センサ４は棒状をなしており、センサ差込口２１ｓからシール部４３と共に温水室２５側に差し込まれるものの、温度センサ４のうちセンサフランジ４２よりも温水室２５から遠ざかるセンサ基端部４４は、温水室２５に差し込まれないで、温水タンク２の第１側壁部２１ａから外方に露出する。なお、温度センサ４は、ヒータ３の加熱部３０に接近しつつも、加熱部３０の斜め上方において加熱部３０とほぼ平行に並走する。
【００２２】
また、ヒータ３の加熱部３０は、銅、アルミニウム、銅合金、アルミニウム合金等といった熱伝導性が良好な金属で形成された長尺状をなす筒体３１と、筒体３１の内部にこれの長さ方向に沿って埋設された発熱部とを有する。発熱部は加熱部３０の長さ方向に沿って延設されているため、加熱部３０の加熱長さは長い。図３に示すように、ヒータ３を構成する筒体３１のヒータ基端部３２は、これの軸直角方向に沿った鍔状をなすヒータフランジ３３（室外伝熱部材）を有する。ヒータフランジ３３も、銅、アルミニウム、銅合金、アルミニウム合金といった金属等のように熱伝導性が樹脂材よりも良く且つ強度を有する熱伝導材料で形成されており、ヒータ３の筒体３１と同一材料または同系材料で形成できる。
【００２３】
図３に示すように、ヒータ３のうちヒータフランジ３３よりも温水室２５から遠ざかる側には、ヒータ基端部３２が設けられている。ヒータ３が温水タンク２に取り付けられるとき、ヒータ基端部３２は、温水室２５内に差し込まれないで、ヒータフランジ３３と共に温水タンク２の第１側壁部２１ａよりも外方に露出する。更に、温度センサ４については、温度センサ４の筒体４０のセンサ基端部４４が設けられている。ヒータフランジ３３は、温度センサ４のセンサ基端部４４を嵌めるＵ形状の嵌合溝３３ａ（嵌合凹部）と、貫通状態の位置決め孔３３ｂ（位置決め部）と、貫通状態の取付孔３３ｃ（取付部）とを有する。
【００２４】
ヒータ３がヒータ差込口２１ｈに差し込まれ、且つ、温度センサ４がセンサ差込口２１ｓに差し込まれて温水タンク２の第１側壁部２１ａに取り付けられるとき、第１側壁部２１ａの位置決め突起２１ｐ（位置決め係合部）にヒータフランジ３３の位置決め孔３３ｂ（位置決め被係合部）が嵌合する（図７参照）。これによりヒータ３がこれの周方向に位置決めされる。更に、図３から理解できるように、取付具３４（取付螺子）が、ヒータフランジ３３の取付孔３３ｃに挿入され、更に、第１側壁部２１ａの組付孔２１ｒに螺着される。このようにヒータ３は、温水タンク２の第１側壁部２１ａに取り付けられる。このとき、図７から理解できるように、ヒータフランジ３３の嵌合溝３３ａと温度センサ４のセンサ基端部４４とが伝熱可能に接触するように嵌まりつつ、ヒータフランジ３３が鍔状のセンサフランジ４２に伝熱可能に接触するように、ヒータフランジ３３を温水室２５側に押圧するため、温度センサ４も温水タンク２の第１側壁部２１ａに組み付けられる。すなわち、ヒータ３およびセンサ４はヒータフランジ３３により共締めされている。この場合、ヒータフランジ３３がセンサフランジ４２に当たる構造が採用されているため、センサ差込口２１ｓに差し込まれた温度センサ４が外方に外れることが抑えられる。
【００２５】
加えて本実施形態によれば、ヒータフランジ３３は温度センサ４のセンサフランジ４２に伝熱的に接触するため、ヒータ３の加熱部３０の熱をセンサフランジ４２を介して温度センサ４のセンサ部４１に伝熱できる。なお、図７において、Ｒ１は、ヒータ３と温度センサ４とを最短距離で仮想的に結ぶ伝熱仮想線を示す。この場合、温度センサ４とヒータ３の加熱部３０とを最短距離で仮想的に結ぶ伝熱仮想線Ｒ１上には、ヒータフランジ３３を構成する金属材料が設けられているため、ヒータフランジ３３を介して室外伝熱経路を形成することができる。これによりヒータ３の加熱部３０の熱をヒータフランジ３３における室外伝熱経路を形成する伝熱仮想線Ｒ１を介して温度センサ４のセンサ部４１に迅速に伝達させることができる。
【００２６】
前述したように給水具５は、矢印Ａ３方向から温水タンク２の第１側壁部２１ａの入水口２１ｉに差し込まれる。図３に示すように、給水具５は、入水口２１ｉに差し込まれる中空管状をなす差込給水管５１と、水道系に給水配管５ｘで連通される中空管状をなす水道給水管５２と、吐出口５３を先端にもつリリーフ弁５４と有する。リリーフ弁５４は、温水室２５の内圧が過剰に増加するとき、その圧力に応答して自動的に開弁し、温水タンク２内の水をリリーフ水として吐出口５３から矢印Ｍ１方向に吐出させる。ここで、給水具５においては、差込給水管５１、水道給水管５２、リリーフ弁５４が三方に分岐されている。差込給水管５１の外周部には、リング状のシール部５５が装着されている。
【００２７】
組付時には、図３から理解できるように、給水具５の差込給水管５１を矢印Ａ３方向から第１側壁部２１ａの入水口２１ｉに差し込む。これにより給水具５は、温水タンク２の第１側壁部２１ａに着脱可能に取り付けられる。差込給水管５１のシール材料で形成されたシール部５５が弾発力を発揮するため、差込給水管５１は入水口２１ｉに圧入され、温水室２５の水が外方に洩れないようにシール性が確保される。図３から理解できるように、通水部としての仕切部材６は、温水タンク２の底壁部２６に着脱可能に被着されている。具体的には、図８に示すように、底壁部２６から上方に向けて壁状をなす複数の係合突起２６ｐがレール状に形成されている。仕切部材６は、壁状をなす複数の被係合突起６ｐを有する。仕切部材６の被係合突起６ｐを底壁部２６の係合突起２６ｐに嵌める。これにより仕切部材６は底壁部２６に着脱可能に被着されている。
【００２８】
このように仕切部材６は、入水通路６６および下降通路６７を温水室２５に対して仕切るために温水タンク２の底壁部２６に被着されている。従って、仕切部材６は、温水となる水が供給されるように温水室２５の入水口２１ｉに連通する入水通路６６と、入水通路６６から凹部２７に向けて下降して入水通路６６を流れる水を凹部２７に流す下降通路６７とを形成する。下降通路６７が形成されているため、入水通路６６は、ヒータ３の加熱部３０の高さ位置に適応させるように、凹部２７の高さ位置よりも持ち上げられている（図６参照）。
【００２９】
図３に示すように、仕切部材６は樹脂、金属、またはセラミックスで形成されており、入水通路６６を温水室２５に対して仕切る第１仕切壁部分６１と、第１仕切壁部分６１から凹部２７に向けて下降傾斜するように連設された第２仕切壁部分６２と、第２仕切壁部分６２に連設された第３仕切壁部分６３とを有する。第１仕切壁部分６１は、ヒータ３の加熱部３０に沿って直状に延設されている。第２仕切壁部分６２は凹部２７に向けて下降するように形成されており、下降通路６７を温水室２５に対して仕切る。第３仕切壁部分６３は、凹部２７を上側から覆うと共に、凹部２７と温水室２５とを連通させる複数の細孔６４からなる細孔群とをもつ。
【００３０】
本実施形態によれば、図３に示すように、仕切部材６は凹状の複数の取付孔６ａ（第１係合部）をもつ。殊に、第１仕切壁部分６１から延設された舌片６１ａは、第２底壁部２６に載せられるものであるが、取付孔６ａを有する。温水タンク２の底壁部２６には、上方に向けて突出する凸状の複数の突起２ａ（第２係合部）が、取付孔６ａに対面する位置に形成されている。仕切部材６を底壁部２６の上方に配置した状態で、各取付孔６ａを各突起２ａにそれぞれ嵌合して係合させる。これにより仕切部材６は位置決めされつつ、底壁部２６に着脱可能に取り付けられる。このように仕切部材６が凹部２７を上側から覆うように底壁部２６に取り付けられたとき、図３に示すように、ヒータ３の加熱部３０が仕切部材６の第３仕切壁部分６３の上方において、第３仕切壁部分６３に接近しつつ配置されている。このため、万一、温水室２５の水の乱流化が激しいときであっても、仕切部材６の第３仕切壁部分６３がヒータ３の加熱部３０に干渉するため、仕切部材６の位置ずれまたは脱落がヒータ３の加熱部３０により抑えられる。なお、取付孔６ａは凹であり突起２ａは凸であるが、これに限らず、凹凸関係を反対にしても良い。このように仕切部材６は各取付孔６ａを各突起２ａにそれぞれ嵌合して係合させることにより、温水タンク２の底壁部２６に被着されて組み付けられる。このように仕切部材６の底壁部２６に対する組付は、取付螺子を使用しない螺子レス方式であり、組付作業性が簡素化されている。
【００３１】
本実施形態によれば、上記した通水部となる仕切部材６は、温水となる水が供給されるように温水室２５の入水口２１ｉに連通する入水通路６６と、入水通路６６から凹部２７に向けて下降して入水通路６６を流れる水を凹部２７に流す下降通路６７とを形成している。ここで、本実施形態によれば、図４および図８に示すように、鉛直方向Ｈにおいて、入水通路６６の断面の中心Ｃ４の高さ位置Ｈ４は、ヒータ３の加熱部３０の下端３０ｄの高さ位置Ｈ１に対してΔＨ（図４，図８参照）ぶん上方に設定されている。ここで、入水通路６６の断面の中心Ｃ４とは、入水通路６６の長さ方向と直交する方向において切断した横断面積における中心を意味する。なお、ΔＨとしては、温水タンク２の種類およびサイズによっても相違するが、例えば、０．１〜２０ミリメートルの範囲内、０．２〜１０ミリメートルの範囲内、０．３〜５ミリメートルの範囲内において適宜設定できる。但しこれらに限定されるものではない。
【００３２】
殊に本実施形態によれば、図４から理解できるように、入水通路６６は温水タンク２の底壁部２６側に配置されている。このため入水通路６６の底面６６ｄは、底壁部２６で形成されている。このように入水通路６６が温水タンク２の底壁部２６側に配置されているため、水道管に繋がる給水配管５ｘ（図３参照）を局部洗浄装置のハウジングの底部にできるだけ沿わせることができる。すなわち、給水配管５ｘが当該ハウジングの底部から浮上する浮上量をできるだけ抑制できる。よって、配管都合が良く、当該ハウジングの高さ寸法を抑えて小型化を図るのに有利である。このため鉛直方向Ｈにおいて、入水通路６６の底面６６ｄの高さ位置Ｈ２は、ヒータ３の加熱部３０の断面の下端３０ｄの高さ位置Ｈ１に対してほぼ同一の高さ位置またはやや上方に設定されている。なお、図５に示すように、加熱部３０の断面の下端３０ｄの高さ位置Ｈ１よりも、仕切部材６の第３仕切壁部分６３および凹部２７は下方となるように配置されている。
【００３３】
本実施形態によれば、局部洗浄処理が実施されていないとき等のように、温水の積極的な動きがないときには、図４から理解できるように、温水室２５において、ヒータ３の加熱部３０で暖められた水は、対流等により矢印Ｕ方向に上昇して上タンク２３の側で反転し、矢印Ｄ方向に下降するように循環する。このように温水は温水室２５において循環するため、鉛直方向Ｈにおいて、ヒータ３の下端３０ｄの高さ位置Ｈ１以上の領域では、温水室２５における温水の温度は良好に確保される。ここで、ヒータ３の加熱部３０の断面の下端３０ｄの高さ位置Ｈ１よりも上方に存在する水は、加熱部３０により効果的に暖められ、温度が相対的に高くなり、適度な温度の温水となる。このため、局部洗浄処理が実施されていないとき等のように、温水の積極的な動きがないとき、入水通路６６を包囲する入水通路６６の周囲ＷＡ（図４，図８参照）の水の温度を高めに維持することができる。これに対して、温水室２５において、ヒータ３の加熱部３０の断面の下端３０ｄの高さ位置Ｈ１よりも下方に存在する水は、加熱部３０により暖められたとしても、対流により速やかに上昇してしまうため、温度が相対的に低くなり、適度な温度の温水とはいえない。図２，図４および図６において、Ｓ１は、局部洗浄処理が実施されていないとき等のように、温水の積極的な動きがないとき、温水タンク２内の水が適度な温水となる温水適温領域を示し、ヒータ３の加熱部３０の断面の下端３０ｄの高さ位置Ｈ１よりも上方に存在する。局部洗浄する洗浄ノズルに温水を供給する給湯口（図示せず）は、領域Ｓ１に位置するように温水タンク２の上タンク２３側に形成されている。Ｓ２は、温水タンク２内の水が適度な温水とならない領域を示し、ヒータ３の加熱部３０の断面の下端３０ｄの高さ位置Ｈ１よりも下方に存在する。
【００３４】
そこで本実施形態によれば、前述したように、鉛直方向Ｈにおいて、入水通路６６の断面の中心Ｃ４の高さ位置Ｈ４は、ヒータ３の加熱部３０の断面の下端３０ｄの高さ位置Ｈ１に対してΔＨ（図４，図８参照）ぶん上方に設定されている。このため局部洗浄処理が実施されていないとき等のように、温水の積極的な動きがないとき、入水通路６６を包囲する入水通路６６の周囲ＷＡの水の温度は高めに維持されている。このため、入水通路６６内の水は温水室２５のうち入水通路６６の周囲ＷＡの温水により暖められて良好に予熱される。
【００３５】
なお、入水通路６６内で予熱された水は、新しい水が給水具５から入水通路６６に矢印Ｅ１方向（図６参照）に給水されるとき、押し出されて下降通路６７を矢印Ｅ２方向に下降して凹部２７に至り（図６参照）、更に、仕切部材６の第３仕切壁部分６３の細孔６４から上方（矢印Ｕ２方向）に向けて温水室２５に向けて噴出される。細孔６４から温水室２５に流れた水は、ヒータ３の加熱部３０により加熱されて暖められる。
【００３６】
図８は、ヒータ３の加熱部３０の軸直角方向に沿って且つ鉛直方向Ｈに沿って切断した断面を示す。本実施形態によれば、図８に示すように、矢印Ｋ方向から水平方向に沿ってヒータ３の加熱部３０および入水通路６６を投影するとき、ヒータ３の加熱部３０および入水通路６６は、底壁部２６付近において、加熱部３０および入水通路６６の投影が互いに重なるような高さ位置に配置されている。このため加熱部３０を底壁部２６付近に配置して、温水室２５のうち加熱部３０の上側の室空間部分の高さおよび容積をできるだけ増加させることができ、温水容積を増加できる。更に、加熱部３０および入水通路６６の双方をほぼ同じ高さ位置に設定できる。このためヒータ３の加熱部３０を第１延設壁部２１ｃに接近させ、且つ、入水通路６６を第２延設壁部２１ｄに寄せつつも、加熱部３０と入水通路６６との距離ＬＤ（図３，図４参照）をできるだけ小さくでき、加熱部３０の熱を入水通路６６に伝達させるのに有利となる。なお、図４から理解できるように、入水通路６６の高さ位置を高くして位置Ｈｃとするときには、加熱部３０と入水通路６６との高さ位置がかなり異なることになり、傾斜角度θａ（図４参照）を考慮すると、加熱部３０と入水通路６６との距離ＬＤ２は距離ＬＤよりも増加し、加熱部３０から入水通路６６が遠ざかり、入水通路６６内の水が加熱部３０で暖まりにくくなる傾向がある。
【００３７】
本実施形態によれば、図４から理解できるように、ヒータ３は、温水タンク２の第１延設壁部２１ｃおよび底壁部２６に接近させつつ、殊に、第１延設壁部２１ｃと底壁部２６との交差部分の第１隅領域ＭＡに接近させつつ配置されている。更に、図４から理解できるように、入水通路６６は、温水タンク２のうち第１延設壁部２１ｃに対向する第２延設壁部２１ｄおよび底壁部２６に接近させつつ、殊に、第２延設壁部２１ｄと底壁部２６との交差部分の第２隅領域ＭＢに接近させつつ配置されている。
【００３８】
更に、温水タンク２を局部洗浄装置に取り付けたときには、局部洗浄装置側のハウジング２０１に形成されている突部としてのボス部１０５（図１，図９参照）に給水具５のＶ形状をなす分岐部分５ｓが位置決めされつつ機械的に対面して係合可能となる。ボス部１０５が矢印Ｘ１方向（図１，図９参照）に脱落することに対して抵抗となり得る。このため、温水室２５の内圧が過剰になったときであっても、給水具５が矢印Ｘ１方向（図１参照）に脱落することが確実に抑えられる。ボス部１０５は、洗浄ノズルを支持するため突起であり、洗浄ノズルをボス部１０５に載せて支持したり、洗浄ノズルをボス部１０５に載せて螺子止めできるようになっている。
【００３９】
図４，図８から理解できるように、第１隅部分ＭＡおよび第２隅部分ＭＢは、温水タンク２の底壁部２６を介して互いに対向する位置関係である。このため、局部洗浄処理が実施されていないとき等のように、温水室２５において温水の積極的な動きがないとき、ヒータ３で加熱された温水は、温水室２５において、下タンク２１の第１延設壁部２１ｃおよび上タンク２３の延設壁部２３ｃに沿って矢印Ｕ方向（図４参照）に上昇した後に反転し、その後、上タンク２３の延設壁部２３ｄ，下タンク２１の第２延設壁部２１ｄに沿って矢印Ｄ方向（図４参照）に下降する。このようにヒータ３が第１延設壁部２１ｃ側の第１隅部分ＭＡに配置され、入水通路６６は第２延設壁部２１ｄ側の第２隅部分ＭＢに配置されているため、温水室２５の全体において温水を良好に循環させるのに貢献できる。この場合、ヒータ３の下端３０ｄよりも上方の領域Ｓ１において、温水温度の均一化に貢献できる。
【００４０】
ところで、入水通路６６内の水を加熱させるためには、入水通路６６をヒータ３の加熱部３０に近づける構造が考えられる。しかし、局部洗浄装置の構造の関係上、リリーフ弁５４の吐出口５３から吐出される水を排出させる排水口の位置が温水タンク２の第２延設壁部２１ｄ側に定まっている。この構造を考慮すると、リリーフ弁５４を有する給水具５が接続される入水通路６６を、矢印ＤＡ方向（温水タンク２の幅方向）において、ヒータ３の加熱部３０に近づけることは制約され、入水通路６６を第２延設壁部２１ｄ側に寄せて配置せざるを得ない事情がある。本実施形態は、上記した入水通路６６をヒータ３の加熱部３０に近づけることが制約される条件のもとにおいて、入水通路６６を温水タンク２の第２延設壁部２１ｄ側の第２隅部分ＭＢに配置し、入水通路６６内の水をできるだけ効率よく予熱させる作用効果を実現させる構造が採用されている。
【００４１】
加えて本実施形態によれば、入水通路６６は、ヒータ３の加熱部３０に対してほぼ平行に且つ直状に並走している（図３参照）。このように入水通路６６はヒータ３の加熱部３０に対面しつつ、加熱部３０に対してほぼ平行に且つ直状に並走しているため、ヒータ３の加熱部３０の放熱面積が確保されるばかりか、入水通路６６の受熱面積も確保できる。故に局部洗浄処理が実施されていないときなどのように、温水の積極的な動きがないとき、入水通路６６内の水の効果的な予熱に貢献できる。更に、入水通路６６はヒータ３の加熱部３０に対してほぼ平行に且つ直状に並走しているため、ヒータ３の加熱部３０から入水通路６６までの距離ＬＤ（図３参照）についても、入水通路６６の長さ方向にわたりほぼ均一にすることができる。従って、ヒータ３の加熱部３０を利用して入水通路６６内の水をできるだけ均一に暖めるのに有利である。ひいては、入水通路６６内の暖められた水の温度ムラの低減に有利である。
【００４２】
本実施形態によれば、図８（加熱部３０の軸直角方向に切断した断面図）に示すように、温水タンク２の底壁部２６は、ヒータ３の加熱部３０に対して空間２５ｍを介して真下に位置する第１底壁部分２６ｆと、入水通路６６の底面６６ｄを形成する第２底壁部分２６ｓと、第１底壁部分２６ｆから第２底壁部分２６ｓに向かうにつれて上昇傾斜する傾斜壁部分２６ｕとを備えている。
【００４３】
このように第１底壁部分２６ｆは、ヒータ３の加熱部３０の断面の下端３０ｄの高さ位置Ｈ１よりも空間２５ｍを介して真下に位置する。このため、ヒータ３の加熱部３０の断面の下端３０ｄよりも下方において第１底壁部分２６ｆ付近に存在する水ＷＢ（図８参照）の温度は、高さ位置Ｈ１よりも上方に存在する水の温度よりも、相対的に低い傾向がある。そこで本実施形態によれば、図８に示すように、温水タンク２の底壁部２６において、水温が低い側の第１底壁部分２６ｆから第２底壁部分２６ｓに向かうにつれて上昇傾斜する傾斜壁部分２６ｕが形成されている。このため、第１底壁部分２６ｆ付近に存在する温度が相対的に低い水ＷＢは、傾斜壁部分２６ｕの上昇傾斜の影響で、第２底壁部分２６ｓ側、すなわち、入水通路６６側に移行することが抑制される。このため、局部洗浄が実施されていないとき、入水通路６６の外側に存在する水の温度をできるだけ高めに維持することができ、入水通路６６内の水を暖めるのに貢献できる。
【００４４】
上記した本実施形態によれば、例えば、温水タンク２の温水室２５の水が充分に貯留されているときには、ヒータ３の加熱部３０の熱は温水室２５の水に伝達され、温度センサ４は温水室２５の水の温度を良好に測温でき、制御装置は温水の温度を良好に制御することができる。しかしながら、温水室２５の温水の高さ位置が温度センサ４のセンサ部４１の高さ位置よりも低いとき等（例えば空焚き）のように、温度センサ４が温水室２５の水の温度を良好に測温できないとき、温水タンク２の外側の室外伝熱経路を構成するヒータフランジ３３を介して、ヒータ３の加熱部３０の熱を温度センサ４のセンサ部４１に伝熱させることができ、加熱部３０の発熱を温度センサ４の検知温度で制御できる。このため温水室２５が空焚きされるようなときであっても、ヒータ３の加熱部３０が過剰に発熱することが抑制される。
【００４５】
図７は、ヒータフランジ３３をこれの垂直方向から視認する図を示す。図７に示すように、ヒータフランジ３３は、温度センサ４と加熱部３０とを最短距離で仮想的に結ぶ伝熱仮想線Ｒ１と交差する開口を有しない。伝熱仮想線Ｒ１上には、ヒータフランジ３３を構成する金属材料が設けられている。この場合、温度センサ４とヒータ３の加熱部３０とを最短距離で仮想的に結ぶ伝熱仮想線Ｒ１上には、ヒータフランジ３３を構成する高い伝熱性を有する金属材料が設けられている。このためヒータフランジ３３を介して室外伝熱経路を形成することができる。これにより温水室２５の水が不足するときであっても、ヒータ３の加熱部３０の熱をヒータフランジ３３における伝熱仮想線Ｒ１を介して温度センサ４に迅速に伝達させることができる。
【００４６】
本実施形態によれば、室外伝熱部材としてのヒータフランジ３３は温水タンク２の外側に配置されているため、ヒータフランジ３３が温水室２５の暖かい水に長年にわたり触れることが抑制される。このため、ヒータフランジ３３の経年変化が抑制される。また、ヒータフランジ３３は、ヒータフランジ３３を温水タンク２の温水室２５を形成する第１側壁部２１ａ（壁部）に取り付ける取付孔３３ｃ（取付部）を有する。このためヒータフランジ３３を第１側壁部２１ａに固定でき、ヒータ３から温度センサ４に向かう室外伝熱経路を良好に維持できる。
【００４７】
上記したように本実施形態によれば、ヒータフランジ３３によりヒータ３２の加熱部３０と温度センサ４とを伝熱的に接触させつつ、共締めすることにしている。このため加熱部３０と温度センサ４とが必然的に距離的に接近する。この場合、加熱部３０で加熱された直後の熱い温水を温度センサ４が検知するおそれがあり、温水の温度を検知する精度が充分でなくなるおそれがある。そこで本実施形態によれば、次のように第１，第２の対策が施されている。
【００４８】
すなわち、図８において、仮想線ＷＥは、ヒータ３の加熱部３０の断面の中心Ｃ３を通過する鉛直仮想線を示す。温度センサ４のセンサ部４１は、加熱部３０および入水通路６６の上方において、仮想線ＷＥよりも第１側壁部２１ａから遠ざかる側に寄せられている。すなわち、第１の対策として、温度センサ４のセンサ部４１は、ヒータ３に近づきつつも、ヒータ３の真上ではなく、ヒータ３の斜め上方に配置されている。換言すると、温度センサ４のセンサ部４１は、ヒータ３の斜め上方において、仮想線ＷＥよりも入水通路６６に近づく側に寄せられている。従って、真上から投影するとき、加熱部３０および温度センサ４は互いに平行に並走しており、互いに重ならない。このため、ヒータ３の加熱部３０で加熱されて上昇した加熱直後の熱い温水の温度を温度センサ４が直接検知することが抑制されている。故に、温水の温度を検知する温度センサ４の検知精度が高められている。なお温度センサ４は入水通路６６よりも斜め上方に配置されている。
【００４９】
更に、第２の対策として、図８に示すように、加熱部３０と温度センサ４のセンサ部４１との間には、補強リブや位置決めリブを兼用する中間板２６ｍ（中間突部）が底壁部２６に部分的に上向きに突設されている。中間板２６ｍの上端２６ｕは、加熱部３０の断面の下端３０ｄよりも上方に、具体的には中心Ｃ３よりも上方に突出している。このため加熱部３０で加熱された直後の熱い温水が温度センサ４のセンサ部４１に直接向かうことが抑制され、温水の温度を検知する検知精度が更に確保されている。中間板２６ｍの上端２６ｕは、加熱部３０の上端３０ｕよりも上方に突出していても良い。中間板２６ｍが延びる長さは適宜設定でき、温度センサ４または加熱部３０に沿って延設することができる。なお、温度検知精度が充分に確保されるときには、中間板２６ｍは場合によっては廃止しても良い。
【００５０】
さて本実施形態の要部について説明する。本実施形態によれば、図９に示すように、給水具５は樹脂で形成されており、三方弁であり、温水タンク２の入水口２１ｉの方向に向けて第１の方向に突出する差込給水管５１と、水道管等に繋がる給水配管５ｘに向けて第２の方向に突出する水道給水管５２と、ハウジングのベースプレートの排水口に向けて第３の方向に突出する吐出ノズル５６を有するリリーフ弁５４とを備えている。前述したように、組付時において、給水具５の差込給水管５２は、温水タンク２の入水口２１ｉに嵌着されて装備される。すると、給水具５を構成している水道給水管５２およびリリーフ弁５４は、温水タンク２に自動的に搭載される。従って水道給水管５２およびリリーフ弁５４をハウジングのベースプレートに逐一装備させずとも良く、良好なる組付性が確保される。
【００５１】
図９に示すように、給水具５を構成する水道給水管５２およびリリーフ弁５４は、Ｖ形状に分岐する分岐部分５ｓを形成している。この場合、給水具５の差込給水管５２が温水タンク２の入水口２１ｉに嵌着されているとき、図９に示すように、分岐部分５ｓは、ハウジングのベースプレートの突状のボス部１０５に位置決めされつつ対面する。この結果、温水タンク２の温水室２５の内圧が過剰に高いときであっても、温水タンク２の入水口２１ｉから給水具５の水道給水管５２が矢印Ｘ１方向（図９参照）に脱落することが抑制される。この場合、水道水の圧力が急激に過剰になった場合、あるいは、洗浄ノズルから噴出する温水で局部洗浄しているときにおいて洗浄ノズルの流量を急激に絞った場合等のように、温水室の内圧が急激に過剰に高圧となったときであっても、給水具５のＶ形状をなす分岐部分５ｓは、ハウジングのベースプレートに形成されている突状のボス部１０５に位置決めされつつ対面係合している。このため突状のボス部１０５はストッパとして機能し、入水口２１ｉからの給水具５の水道給水管５２が矢印Ｘ１方向に脱落することが抑制される。
【００５２】
更に本実施形態によれば、図１０に示すように、給水具５は、スナップ係合開口５７１をもつ舌片状をなす係合部としてのスナップ係合部５７０を有する。スナップ係合部５７０は、リリーフ弁５４のリリーフ弁本体５４０から径方向に突出している。給水具５のスナップ係合部５７０は、ハウジング内の温水タンク２側に形成されている被係合部２０２ｍにスナップ係合する。結果として、給水具５は温水タンク２に着脱可能に固定される。このように給水具５をスナップ係合により温水タンク２に取り付けることができるため、給水具５を螺子レス方式でベースプレート２０２に取り付けることができ、組付作業性が良い。
【００５３】
更に、温水タンク２を局部洗浄装置に取り付けたときには、局部洗浄装置側のハウジング２０１に形成されている突起状のボス部１０５（図１，図９参照）に給水具５のＶ形状をなす分岐部分５ｓが位置決めされつつ機械的に対面して係合する。なお、ボス部１０５が矢印Ｘ１方向（図１，図９参照）に脱落することに対して抵抗となり得る。このため、温水室２５の内圧が過剰になったときであっても、給水具５が矢印Ｘ１方向（図１参照）に脱落することが確実に抑えられる。ボス部１０５は、洗浄ノズルを支持するため突起であり、洗浄ノズルをボス部１０５に載せて支持したり、洗浄ノズルをボス部１０５に載せて螺子止めできるようになっている。
【００５４】
図１１はリリーフ弁５４付近の断面図を示す。図１１に示すように、リリーフ弁５４は、リリーフ弁本体５４０と、リリーフ弁本体５４０に着脱可能に取り付けられたキャップ５４７とを有する。リリーフ弁本体５４０は、吐出口５３および温水室２５に連通するリリーフ口５４１と、リリーフ口５４１を開閉する弁部５４２と、弁部５４２に同軸的に隣設する筒体５４３と、弁部５４２がリリーフ口５４１を閉鎖する方向（矢印Ｅ５方向）に筒体５４３を付勢する付勢バネ５４５とを有する。
【００５５】
キャップ５４７は、吐出口５３をもつ吐出ノズル５６と、２又形状の爪部５４８とを有する。吐出ノズル５６の外周部には、これを１周すると共に径外方向に突出するようにリング状をなす治具係合部５５０が形成されている。リリーフ弁本体５４０およびキャップ５４７を対面させた状態で、リリーフ弁本体５４０およびキャップ５４７のうちの一方を他方に対して中心線Ｃ６回りで回動させることにより、リリーフ弁本体５４０の突部５４６およびキャップ５４７の爪部５４８は着脱可能にスナップ係合される。
【００５６】
ところで、給水具５の水道給水管５２に供給される水道水の圧力が急激に過剰になった場合、あるいは、洗浄ノズルから噴出する温水で局部洗浄しているときにおいて洗浄ノズルから噴出される水の流量を急激に絞った場合等においては、温水室２５の内圧が急激に過剰となることがある。この場合、温水室２５の内圧が付勢バネ５４５の付勢力に打ち勝ち、弁部５４２がリリーフ方向（矢印Ｅ６方向）に開弁し、リリーフ口５４１を開放させる。つまり、温水タンク２の温水室２５の内圧に応答し、リリーフ弁５４の弁部５４２が自動的に開弁する。このとき吐出ノズル５６の吐出口５３から温水室２５の過剰の圧が逃げると共に、温水室２５の水がリリーフ口５４１を介してリリーフ水として吐出ノズル５６の吐出口５３から矢印Ｍ１方向に排出され、ハウジング２０１のベースプレート２０２の排水口２１０に排出される。
【００５７】
ここで、リリーフ弁５４を給水具５から分離した位置に設け、リリーフ弁５４と排水口２１０とを配管ホースで繋ぐことも考えられる。この場合、メンテナンス時等に事情により配管ホースが曲がったまま配置されるおそれも少なからずある。この場合、リリーフ弁５４の吐出ノズル５６の吐出口５３から排出されるリリーフ水は、曲がった状態の配管ホースを流れるため、排水口２１０への排水性が損なわれるおそれがある。この点について本実施形態によれば、リリーフ弁５４の吐出ノズル５６の吐出口５３は、ベースプレート２０２のうち便器３００の上面開口３０２の上方に存在する排水口２１０に直接的に連通して対面しているため、リリーフ弁５４の吐出ノズル５６の吐出口５３から排出されるリリーフ水の排水性は、良好に確保される。このとき、排水口２１０は散水抑制屋根壁２５２により包囲されているため、リリーフ水が散水することが散水抑制屋根壁２５２により抑制される。この場合、ベースプレート２０２に形成されている排水口２１０付近にリリーフ水が散らばることが抑制される。従ってハウジング内の電子部品の保護性を高めることができる。
【００５８】
本実施形態によれば、前述したように、温水タンク２の入水口２１ｉに接続される差込給水管５１と、水道管に繋がる水道系の給水配管５ｘに向けて突出する水道給水管５２と、ハウジング２０１のベースプレート２０２の排水口２１０に向けて突出する吐出ノズル５６を有するリリーフ弁５４とを備えている。このため給水具５を構成する差込給水管５１、水道給水管５２およびリリーフ弁５４は分岐部分５ｓを形成しており、分岐部分５ｓを介して、差込給水管５１の通路、水道給水管５２の通路およびリリーフ弁５４のリリーフ口５４１は、互いに連通している。このため、給水具５の水道給水管５２に供給されるように給水配管５ｘ側の水道水の圧力が水道系の事情により急激に高圧となった場合であっても、過剰に高圧の水道水の圧力がリリーフ弁５４のリリーフ圧力に打ち勝ち、リリーフ口５４１を開放させ易くなる。このため、過剰に高圧の水道水が温水タンク２の温水室２５に直接的に且つ急激に供給されることが抑制される。よって、水道給水管５２の通路から給水具５の分岐部分５ｓを介してリリーフ弁５４の吐出ノズル５６に向かい易くなり、結果として、吐出ノズル５６の吐出口５３から排水口２１０ひいては便器３００内に排出されることになる。このため過剰に高圧の水道水が温水タンク２の温水室２５に直接的に且つ急激に供給されることが抑制される。故に、温水タンク２に設けられているシール部、温度センサ４等の耐久性の向上および長寿命化に貢献することができる利点が得られる。あるいは、万一、予期せぬ事情により温水タンク２の温水室２５の圧力が水道水側の圧力よりも高くなった場合であっても、温水室２５の水はリリーフ水としてリリーフ弁５４のリリーフ圧力に打ち勝ってリリーフ口５４１を開放させ、リリーフ弁５４の吐出ノズル５６に向かい易くなり、ひいては、温水タンク２５内の水が水道水側の給水配管５ｘに逆流することが抑制される。
【００５９】
また本実施形態によれば、図１５に示すように、排水口２１０は、リリーフ弁５４の吐出ノズル５６の吐出口５３からリリーフ水が吐出される先方（矢印Ｍ１方向）に向けて排水口２１０の開口幅が小さくなる逆Ｖ形状をなす第１部分２１０ｆと、排水口２１０の開口幅ＤＸ（図１５参照）がほぼ等しい四角形状をなす第２部分２１０ｓとを有する。第１部分２１０ｆは、第２部分２１０ｓよりも吐出ノズル５６の吐出口５３から遠ざかる側に形成されている。
【００６０】
更に図１２に示すように、局部洗浄装置のベースプレート２０２に形成されている排水口２１０は、屋根形状をなす散水抑制屋根壁２５２と、平面視でＵ形状をなすと共に垂直方向上方に突設された立壁形状をなす立壁部２５６とで包囲されている。散水抑制屋根壁２５２および立壁部２５６は、ハウジング２０１のベースプレート２０２に上向きに突設されている。図１２に示すように、排水口２１０のうちリリーフ弁５４と反対側の開口部分は、散水抑制屋根壁２５２で包囲されている。排水口２１０のうちリリーフ弁５４に対向する側の開口部分は、平面視でＵ形状をなす立壁部２５６で包囲されている。
【００６１】
散水抑制屋根壁２５２は、リリーフ水が吐出される方向（矢印Ｍ１方向）において逆Ｖ形状（Ｖを上下逆にした形状）を連続させている。且つ、図１１に示すように、散水抑制屋根壁２５２の内面２５２ｉは、リリーフ弁５４の吐出ノズル５６の中心線Ｃ６に沿った断面において、排水口２１０に向かうにつれて所定の曲率を有する連続的な円弧Ｒａ（図１１参照）で延設されている。この場合、リリーフ弁５４の吐出ノズル５６の吐出口５３からリリーフ水がベースプレート２０２の排水口２１０に向けて排出されるとき、リリーフ水が散水抑制屋根壁２５２の内面２５２ｉに当たったとしても、リリーフ水の散水（水跳ね等）が抑制され易くなる。故に、排水口２１０に排出されるリリーフ水の水切れ性が向上する。
【００６２】
また、図１２および図１４から理解できるように、散水抑制屋根壁２５２は、リリーフ弁５４の吐出ノズル５６の中心線Ｃ６と直交する方向の断面において、中央２５３ｃが最も高く両端２５３ｅに向かうにつれて下降傾斜する山形状をなす下降傾斜壁２５３をもつ逆Ｖ形状（Ｖを上下逆にした形状）をなしている。この場合、図１３（Ａ）に示すように、吐出されるリリーフ水が、仮想線Ｋ１，Ｋ２，Ｋ３方向に沿って散水抑制屋根壁２５２に向けて排出されると仮定する。リリーフ水の水流のうち水流太さ方向の中央部分は、仮想線Ｋ２に沿って吐出される。リリーフ水のうち水流太さ方向の端部分は、仮想線Ｋ１，Ｋ３に沿って吐出される。図１３（Ａ）に模式的に示すように、リリーフ水の水流が逆Ｖ形状をなす下降傾斜壁２５３の内面に衝突するとき、リリーフ水の水流は下降傾斜壁２５３の内面２５３ｉにより集水される方向に案内される。すなわち、リリーフ水の水流幅が収束される方向にリリーフ水が案内される。殊に、リリーフ水のうち最も水勢のある中央部分が仮想線Ｋ２に向けて吐出され、下降傾斜壁２５３同士の集水効果が高い交点２５３ｈ付近の内面に衝突するため、吐出されたリリーフ水の水流は効果的に集水され、リリーフ水の散水が抑制される。このようにリリーフ水が散水することが散水抑制屋根壁２５２により抑制される。この結果、ベースプレート２０２に形成されている排水口２１０付近にリリーフ水が散らばることが抑制される。かかる意味で、リリーフ弁５４のリリーフ弁本体５４０の中心線Ｃ６の延長線は、下降傾斜壁２５３同士の交点２５３ｈを通過することが好ましい。なお、平面視において、中心線Ｃ６と直交する方向において中心線Ｃ６の延長線と交点２５３ｈとが位置ずれする位置ずれ量をεとし、吐出口５３の内径をδとするとき、ε＝δ／３以下、ε＝δ／４以下、ε＝δ／５以下、ε＝δ／７以下が好ましい。
【００６３】
仮に、図１３（Ｂ）に模式的に示すように、散水抑制屋根壁が断面で逆Ｖ形状ではなく、半円形状である場合には、リリーフ水の水流が仮想線Ｋ１，Ｋ２，Ｋ３方向に沿って散水抑制屋根壁の内面に衝突するとき、リリーフ水の集水性は必ずしも充分ではないおそれがある。殊に、散水抑制屋根壁の中心を構成する円弧の接線をＫ７と仮定すると、リリーフ水の水流のうち最も水勢がある中央部分が接線Ｋ７にダイレクトに衝突して反射する考えることができ、リリーフ水が散水してしまうおそれがあり、集水効果は必ずしも充分ではないおそれがある。
【００６４】
本実施形態によれば、図１１，図１２に示すように、給水具５のリリーフ弁５４の吐出ノズル５６は、これの中心線Ｃ６が吐出ノズル５６の先端に向かうにつれて下降傾斜しつつ、ハウジング２０１のベースプレート２０２の排水口２１０に対面するように指向している。このようにリリーフ弁５４の吐出ノズル５６がこれの先端に向かうにつれて下降傾斜しているため、リリーフ弁５４の吐出ノズル５６の吐出口５３からの水切れ性が良好である。殊に、吐出ノズル５６の軸長寸法Ｌ７は吐出ノズル５６の吐出口５３の内径δよりも大きくされているため（図１１参照）、散水が抑制される。よって、吐出ノズル５６の吐出口５３からリリーフ水がベースプレート２０２の排水口２１０に良好に排出され、更に便器３００の上面開口３０２に排出される（図１１参照）。
【００６５】
品質保証のため、組付時の点検時、組付後の点検時、出荷前の点検、出荷後の点検等において、吐出ノズル５６の吐出口５３を閉鎖してリークテストを行うことが好ましい。そこで、図１２に示すように、給水具５は、吐出ノズル５６の中心線Ｃ６の回りを１周するリング形状の治具係合部５５０を有する。リークテストで使用されるリークテスト治具８は、図１６および図１７に示すように、洗濯ばさみと類似した構造をなしており、互いに対向する２個のプレート部８０と、２個のプレート部８０の一端部８０ａ同士を互いに接近させる方向および互いに離間させる方向に回動させる回動軸部８２と、２個のプレート部８０の一端部８０ａ同士を互いに接近させる方向（矢印Ｗ２，Ｗ３方向）に付勢するバネとしての捻りコイルバネ８３とを有する。
【００６６】
リークテストでは、リークテスト治具８のプレート部８０の他端部８０ｃを作業者の指先または工具等で保持し、図１６および図１７に示すように、一方のプレート部８０の一端部８０ａを給水具５のリング状の治具係合部５５０に係合させると共に、他方のプレート部８０の一端部８０ａを給水具５の吐出ノズル５６の先端面５６ｆにあてがい、吐出口５３を気密的または液密的に閉鎖する。
【００６７】
このようにリークテストにおいて吐出ノズル５６の吐出口５３がリークテスト治具８で閉鎖されると、吐出ノズル５６の吐出口５３から圧力が逃げることが抑制される。この場合、図１７に示すように、温水タンク２に取り付ける前の給水具５にリークテスト治具８を取り付け、所定の圧力をもつ検査流体を給水具５内に供給してリークテスト（漏れテスト）を実施しても良い。また、図１６に示すように、温水タンク２に取り付けた状態の給水具５に対してリークテスト治具８を取り付け、所定の圧力をもつ検査流体を温水タンク２および給水具５の双方に供給してリークテストすることにしても良い。上記したリークテストを考慮し、本実施形態によれば、温水タンク２に取り付けた状態の給水具５に対してリークテストを実施することを考慮し、図１１および図１２に示すように、リークテスト治具８を配置させるための配置空間５９が、給水具５の吐出ノズル５６の先端面５６ｆと散水抑制屋根壁２５２の端面２５２ｆとの間に形成されている。吐出ノズル５６から吹き出されるリリーフ水の散水を抑制するためには、吐出ノズル５６の先端面５６ｆを散水抑制屋根壁２５２にできるだけ接近させ、配置空間５９は存在しないか、存在するとしても小さい方が好ましい。しかし本実施形態によれば、漏れに対する信頼性を高めるべくリークテストを組付時あるいはメンテナンス時に実施すべく、リークテスト治具８を配置させるための配置空間５９が形成されている。
【００６８】
（適用形態）
図１８は適用形態の一例を示す。洋式の便器３００の後部には、局部洗浄装置２００が搭載されている。局部洗浄装置２００は、ハウジング２０１と、人体等の生体の局部を洗浄する複数個の洗浄ノズル２０５と、洗浄ノズル２０５に温水を供給する温水タンク装置（図１８では図示されず）とを有する。ハウジング２０１は、便器３００の後部に取付具により取り付けられるベースプレート２０２と、ベースプレート２０２に被着され温水タンク装置を収容する収容室を形成するカバー２０３と、カバー２０３に設けられた操作スイッチ２０７を有する操作盤２０９と、ハウジング２０１に上下方向に揺動可能に枢支された便座２１０と、ハウジング２０１に上下方向に揺動可能に枢支された便蓋２１１とを有する。
【００６９】
（他の実施形態）
温水タンクの構造は図１に示す構造に限定されるものではない。ヒータおよび温度センサは横型ではなく、縦型に温水タンクに組み付けられていても良い。ヒータは温水室の上側にもうけられていても良い。仕切部材６ではなく、パイプとしても良い。温水タンクは分割されていなくても良い。上記した実施形態１によれば、給水具５を構成する差込給水管５１の通路、水道給水管５２の通路、リリーフ弁５４のリリーフ口５４１は分岐部分５ｓにおいて互いに連通しているが、これに限られるものではない。すなわち、温水室２５への給水のため、水道水側の水道給水管５２の通路と差込給水管５１の通路とは連通しており、且つ、温水室２５からリリーフ水の排出のため、差込給水管５１の通路はリリーフ弁５４のリリーフ口５４１に直接連通しているものの、水道水側の水道給水管５２はリリーフ弁５４のリリーフ口５４１に直接連通しない構造でも良い。
【００７０】
上記した実施形態１によれば、ヒータフランジ３３によりヒータ３および温度センサ４とが温水タンク２に取り付けられているが、これに限らず、ヒータ３および温度センサ４とは個別に温水タンク２に取り付けられていても良い。上記した実施形態１によれば、鉛直方向Ｈにおいて、入水通路６６の断面の中心Ｃ４の高さ位置Ｈ４は、ヒータ３の加熱部３０の断面の下端３０ｄの高さ位置Ｈ１に対してΔＨぶん上方に設定されているが、これに限らず、入水通路６６の断面の中心Ｃ４の高さ位置Ｈ４は、ヒータ３の加熱部３０の断面の下端３０ｄの高さ位置Ｈ１と同じ高さ位置でも良く、あるいは下側でも良い。上記した実施形態１によれば、温水タンク２において入水通路６６の入口はヒータ差込口２１ｈと同じ側に形成されているが、これに限定されるものではなく、場合によっては、入水通路６６の入口および給水具５は、ヒータ差込口２１ｈと反対側の第２側壁部２１ｂに設けられていても良い。
【００７１】
上記した実施形態１によれば、水平方向に沿ってヒータ３の加熱部３０および入水通路６６を投影するとき、ヒータ３の加熱部３０および入水通路６６は、加熱部３０および入水通路６６のうちの少なくとも一部が互いに重なる高さ位置に配置されているが、これに限定されるものではなく、ヒータ３の加熱部３０および入水通路６６は互いに重ならないような高さ位置に配置されていても良い。上記した実施形態１によれば、通水部を形成する仕切部材６が用いられているが、これに限らず、パイプにより入水通路６６および下降通路６７を形成しても良い。仕切部材６は温水タンク２と別体であるが、温水タンク２と一体的に成形されていても良い。
【００７２】
上記した実施形態１によれば、ベースプレート２０２に形成されている排水口２１０は、散水抑制屋根壁２５２と立壁部２５６とで包囲されているが、これに限らず、散水抑制屋根壁２５２のみで包囲されていても良い。散水抑制屋根壁２５２は逆Ｖ形状をなしている部分を有するが、これに限られるものではなく、散水抑制屋根壁は門形でも良い。その他、本発明は上記し且つ図面に示した実施形態のみに限定されるものではなく、要旨を逸脱しない範囲内で適宜変更して実施可能である。ある実施形態に特有の構造および機能は他の実施形態についても適用できる。本明細書から次の技術的思想も把握される。
【００７３】
（付記項１）局部洗浄用の温水を貯める温水室と温水室に連通し温水室に入水させる入水口とを形成する壁部をもつ温水タンクと、温水タンクの入水口に取り付けられ温水室に入水口を介して水を供給するための給水具と、温水タンクの温水を生体の局部に向けて吹き付ける洗浄ノズルと、温水タンクおよび洗浄ノズルを搭載すると共に便器の上面開口に連通する排水口を形成するベースプレートを有するハウジングとを備えている局部洗浄装置。ハウジングのベースプレートの排水口から部下記の上面開口に排水できる。
【００７４】
（付記項２）付記項１において、前記ハウジングの前記ベースプレートに形成されている前記排水口は、前記排水口からの散水を抑える屋根形状をなす散水抑制屋根壁で包囲されていることを特徴とすることを特徴とする局部洗浄装置。散水が抑えられる。
【００７５】
（付記項３）付記項２おいて、ベースプレートに形成されている散水抑制屋根壁は、リリーフ弁の吐出ノズルの中心線と直交する方向の断面で、中央が高く両端に向かうにつれて下降傾斜する山形状をなす下降傾斜壁をもつ逆Ｖ形状をなす部分を有することを特徴とする局部洗浄装置。リリーフ弁の吐出ノズルから吹き出されるリリーフ水の散水が抑制される。
【産業上の利用可能性】
【００７６】
本発明は人体等の局部を洗浄する局部洗浄装置に利用することができる。
【図面の簡単な説明】
【００７７】
【図１】実施形態１に係り、温水タンクの平面図である。
【図２】温水タンクのヒータ取付側を示す側面図である。
【図３】温水タンクを構成する下タンクの内部構造を示す斜視図である。
【図４】温水タンクの内部構造を示し、図１のＩＶ−ＩＶ線に沿った断面図である。
【図５】温水タンクの内部構造を示し、図１のＶ−Ｖ線に沿った断面図である。
【図６】温水タンクの長手方向に沿った切断した断面図である。
【図７】ヒータのヒータフランジを利用して温度センサを取り付けている状態を示す図である。
【図８】温水タンクの底壁部付近を示す断面図である。
【図９】三方弁形状を有する水道給水管を示す平面図である。
【図１０】水道給水管のスナップ係合部をハウジング側の被係合部にスナップ係合させている状態を示す斜視図である。
【図１１】水道給水管の一部であるリリーフ弁付近の断面を示す断面図である。
【図１２】水道給水管のリリーフ弁の吐出ノズルが局部洗浄装置のハウジングのベースプレートの排水口に臨んでいる状態を示す斜視図である。
【図１３】（Ａ）はリリーフ弁の吐出ノズルから吐出されるリリーフ水が実施形態の散水抑制屋根壁に当たる形態を模式的に示す図であり、（Ｂ）はリリーフ弁の吐出ノズルから吐出されるリリーフ水が比較形態の散水抑制屋根壁に当たる形態を模式的に示す図である。
【図１４】排水口の回りに形成されている散水抑制屋根壁付近を上方から示す図である。
【図１５】ハウジングのベースプレートに形成されている排水口を上方から示す図である。
【図１６】リークテスト治具を水道給水管のリリーフ弁に取り付けている状態を模式的に示す斜視図である。
【図１７】リークテスト治具を水道給水管のリリーフ弁に取り付けている状態を模式的に示す斜視図である。
【図１８】適用形態を示し、局部洗浄装置を示す斜視図である。
【符号の説明】
【００７８】
１は温水タンク装置、２は温水タンク、２１は下タンク、２１ａは第１側壁部、２１ｂは第２側壁部、２１ｃは第１延設壁部、２１ｄは第２延設壁部、２１ｈはヒータ差込口、２１ｓはセンサ差込口、２１ｉは入水口、２１ｒは組付孔、２３は上タンク、２５は温水室、２６は底壁部、２６ｆは第１底壁部分、２６ｓは第２底壁部分、２６ｕは傾斜壁部分、２６ｍは中間板、２７は凹部、３はヒータ、３０は加熱部、３０ｄは下端、３３はヒータフランジ、３３ｃは取付孔、３４は取付具、４は温度センサ、４１はセンサ部、４２はセンサフランジ、４３はシール部、４４はセンサ基端部、５は給水具、５ｓは分岐部分、５１は差込給水管、５２は水道給水管、５３は吐出口５３、５４はリリーフ弁、５４０はリリーフ弁本体、５４１はリリーフ口、５４２は弁部、５５０は治具係合部、５６は吐出ノズル、５７は吐出口、５７０はスナップ係合部（係合部）、５７１はスナップ係合開口、５９は配置空間、６は仕切部材、６１は第１仕切壁部分、６２は第２仕切壁部分、６３は第３仕切壁部分、６６は入水通路、６７は下降通路、８はリークテスト治具、８０はプレート部、８３は捻りコイルバネ、２００は局部洗浄装置、２０１はハウジング、２０２はベースプレート、２０２ｍは被係合部、２３０はカバー、２０５は洗浄ノズル、２１０は排水口、２５２は散水抑制屋根壁、２５３は下降傾斜壁、２５６は立壁部、３００は便器、３０２は便器の上面開口を示す。
【図１】
2010106591.tif 000003
【図２】
2010106591.tif 000004
【図３】
2010106591.tif 000005
【図４】
2010106591.tif 000006
【図５】
2010106591.tif 000007
【図６】
2010106591.tif 000008
【図７】
2010106591.tif 000009
【図８】
2010106591.tif 000010
【図９】
2010106591.tif 000011
【図１０】
2010106591.tif 000012
【図１１】
2010106591.tif 000013
【図１２】
2010106591.tif 000014
【図１３】
2010106591.tif 000015
【図１４】
2010106591.tif 000016
【図１５】
2010106591.tif 000017
【図１６】
2010106591.tif 000018
【図１７】
2010106591.tif 000019
【図１８】
2010106591.tif 000020